(57)【要約】  【課題】  円筒状の蛍光灯が多数本廃棄回収する状態におくときに、互いに接触して割れたり、傾けたり風が吹いたような場合でも、転がったりして割れてしまうことがなく、順序良く倒立状態において廃棄回収する状態におくことができる。  【解決手段】  蛍光灯の廃棄回収具１は、直方体形状又は立方体形状の少なくとも上方側に位置することとなる一側面のシート又はネット１ａに、円筒状の蛍光灯を通す穴２Ａが形成され、上面側が開口した箱状の容器として組み立てられる回収容器１１に収納されて使用される。  【選択図】  図１
2005263302.tif 000002
【特許請求の範囲】
【請求項１】
直方体形状又は立方体形状の枠組みを構成する横辺部分と縦辺部分に各々取り付けられる横枠部材と縦枠部材と、これら横枠部材と縦枠部材を介して外周側面に張設されるシート又はネットとを備え、直方体形状又は立方体形状の少なくとも上方側に位置することとなる一側面のシート又はネットに、円筒状の蛍光灯を通す穴が形成されていることを特徴とする蛍光灯の廃棄回収具。
【請求項２】
前記直方体形状又は立方体形状の上方側に位置することとなる一側面と対向する下方側の一側面のシート又はネットに、円筒状の蛍光灯を通す穴が形成され、円筒状の蛍光灯が上方側の一側面の穴と下方側の一側面の穴に通されて使用されることを特徴とする請求項１記載の蛍光灯の廃棄回収具。
【請求項３】
前記横枠部材と縦枠部材との端部が連結されていないことにより折り畳み可能に構成されていること特徴とする請求項１記載の蛍光灯の廃棄回収具。
【請求項４】
前記請求項１ないし請求項３記載のいずれか一項記載の蛍光灯の廃棄回収具は、直方体形状又は立方体形状の枠組みを構成する横辺部分と縦辺部分に各々取り付けられる横枠フレームと縦枠フレームと、これら横枠フレームと縦枠フレームを介して外周側面に張設されるシート又はネットとを備え、上面側が開口した箱状の容器として組み立てられる回収容器に収納されて使用されることを特徴とする蛍光灯の廃棄回収具を有する回収容器。
【請求項５】
直方体形状又は立方体形状の枠組みを構成する横辺部分と縦辺部分に各々取り付けられる横枠フレームと縦枠フレームと、これら横枠フレームと縦枠フレームを介して外周側面に張設されるシート又はネットとを備え、上面側が開口した箱状の容器として組み立てられる回収容器に収納されて使用される蛍光灯の廃棄回収具を有する回収容器であって、蛍光灯の廃棄回収具は、円筒状の蛍光灯を通す穴が形成されたシート又はネットにより構成されるとともに、回収容器の内側の側面と連結される連結手段を有することを特徴とする蛍光灯の廃棄回収具を有する回収容器。
【請求項６】
直方体形状又は立方体形状の枠組みを構成する横辺部分と縦辺部分に各々取り付けられる横枠フレームと縦枠フレームと、これら横枠フレームと縦枠フレームを介して外周側面に張設されるシート又はネットとを備え、上面側が開口した箱状の容器として組み立てられる回収容器に使用される蛍光灯の廃棄回収具を有する回収容器であって、蛍光灯の廃棄回収具は、その直方体形状又は立方体形状の一側面のシート又はネットに円筒状の蛍光灯を通す穴が形成されて、回収容器の内側に張設されていることを特徴とする蛍光灯の廃棄回収具を有する回収容器。
【発明の詳細な説明】
【技術分野】
【０００１】
この発明は、円筒状の蛍光灯を収納する廃棄回収具及び蛍光灯の廃棄回収具を有する回収容器に関する。
【背景技術】
【０００２】
近年、一般家庭等のゴミの分別回収が進み、決められた日に決められた場所に分別して集められ、ごみ収集車がこれを回収する。ごみ収集車が回収するまでの間は、アルミ缶やスチール缶の区別や、ペットボトルの分別回収等が所定の回収容器に各々収納されるが、昨今は、不使用時には折り畳みが可能で、使用時には、その自立能力により所定の大きさに容易に組み立てられ、風、その他の外力で容易には変形しない折り畳み式ゴミ容器が市町村町等で採用されつつある。
【０００３】
例えば、特許文献１に開示される回収容器は、上面側が開口した箱状の容器本体がシート又はネットにより組み立てられ、この容器本体の側面における上記開口側の横辺部分に横枠フレームが取り付けられるとともに、縦辺部分に縦枠フレームが取り付けられ、横枠フレームと縦枠フレームとを底面側に折り畳むことにより折り畳み可能に構成されている。すなわち、シート又はネット（以下、単に「シート」とも称する。）は、少なくとも四周側面の側面シートと底面シートよりなり、横枠フレームと縦枠フレームは、シート（又はネット）の各位置の個別袋部に各々収納されていることから、自立状態が得られると共に、コンパクトに折り畳むことが可能になっている。
【０００４】
【特許文献１】実用新案登録第２５３１２３０号公報
【発明の開示】
【発明が解決しようとする課題】
【０００５】
ところで、アルミ缶やスチール缶の区別や、ペットボトルの分別回収等はその回収具は上記のような回収容器により行われることが多くなっているが、それ以外のゴミは、決められた場所にそのまま置かれるか、所定の容器が配されて、その中に無造作におかれるだけのものが多い。中でもその取り扱いが面倒なものとして、円筒状の蛍光灯（長尺な蛍光ランプ）の廃棄回収に関する取り扱いが問題となっている。円筒状の蛍光灯は、電池等の水銀含有物の廃棄と同じ日に集められることが多いが、上記回収容器は使用せずに、通常の箱状の容器が別に用意されて、そこに壊さないようにして単に集められる。
【０００６】
しかしながら、円筒状の蛍光灯は、通常の箱状の容器に置かれるだけであると、互いの接触により割れたり、風が吹いたような場合には、転がったりして割れてしまうことが多く見受けられる問題を有していた。また、円筒状の蛍光灯（長尺な蛍光ランプ）には、その長さが種々異なるものがあるために、それを一箇所に集中させることもできない問題も有する。なお、円筒状の蛍光灯が割れてしまった場合は、ガラス等の廃棄処分となり、その回収は別の日になることもある。このように、円筒状の蛍光灯は、水銀等の処分が問題となること、割らないようにして処分する問題があり、ごみ収集車により搬送される場合もまた割らないように搬送することが要求されている。
【０００７】
そこで本発明の目的は、円筒状の蛍光灯を廃棄回収する状態におくときに、互いに接触して割れたり、傾けたり風が吹いたような場合でも、転がったりして割れてしまうことがなく、順序良く倒立状態において廃棄回収する状態におくことができる蛍光灯の廃棄回収具及び蛍光灯の廃棄回収具を有する回収容器を提供することにある。
【課題を解決するための手段】
【０００８】
本発明の請求項１記載の蛍光灯の廃棄回収具は、直方体形状又は立方体形状の枠組みを構成する横辺部分と縦辺部分に各々取り付けられる横枠部材と縦枠部材と、これら横枠部材と縦枠部材を介して外周側面に張設されるシート又はネットとを備え、直方体形状又は立方体形状の少なくとも上方側に位置することとなる一側面のシート又はネットに、円筒状の蛍光灯を通す穴が形成されていることを特徴とする。
【０００９】
この発明によれば、前記直方体形状又は立方体形状の上方側の一側面に蛍光灯を通す上面側の穴が形成されていることから、円筒状の蛍光灯を上記穴に通すことにより、多数本の円筒状の蛍光灯を各々倒立状態で廃棄回収する状態におくことができ、そして、互いに接触して割れたり、風が吹いたような場合でも、転がったりして割れてしまうことがなく廃棄回収する状態におくことができる。
【００１０】
本発明の請求項２記載の蛍光灯の廃棄回収具は、前記請求項１記載の発明を前提として、前記直方体形状又は立方体形状の上方側に位置することとなる一側面と対向する下方側の一側面のシート又はネットに、円筒状の蛍光灯を通す下面側の穴が形成され、円筒状の蛍光灯が上方側の一側面の穴と下方側の一側面の穴に通されて使用されることを特徴とする。
【００１１】
この発明によれば、円筒状の蛍光灯が上方側の一側面の上面側の穴と下方側の一側面の下面側の穴に通されて使用されることにより、上方側と下方側との２箇所で支持されるため、多数本の円筒状の蛍光灯を各々安定した倒立状態にして廃棄回収する状態におくことができるとともに、上方側と下方側との２箇所で支持されるため、多数本の長尺な蛍光灯がその長手方向において互いに接触するような事態を防止することができる。また、上面側の穴と下面側の穴の大きさを異ならせて、これを上下面を変えることにより、円筒状の蛍光灯の径の大きさの異なるものにも対応させることも可能である。
【００１２】
本発明の請求項３記載の蛍光灯の廃棄回収具は、前記請求項１記載の発明を前提として、前記横枠部材と縦枠部材との端部が連結されていないことにより折り畳み可能に構成されていることを特徴とする。
【００１３】
この発明によれば、前記横枠部材と縦枠部材との端部が連結されていないことにより折り畳み可能に構成されていることから、使用時には、その自立能力により所定の大きさに容易に組み立てられ、不使用時には折り畳むことにより、場所をとらずに保管できる等の利点を有する。
【００１４】
本発明の請求項４記載の蛍光灯の廃棄回収具を有する回収容器は、前記請求項１ないし請求項３記載のいずれか一項記載の蛍光灯の廃棄回収具は、直方体形状又は立方体形状の枠組みを構成する横辺部分と縦辺部分に各々取り付けられる横枠フレームと縦枠フレームと、これら横枠フレームと縦枠フレームを介して外周側面に張設されるシート又はネットとを備え、上面側が開口した箱状の容器として組み立てられる回収容器に収納されて使用されることを特徴とする。
【００１５】
この発明によれば、上記蛍光灯の廃棄回収具は、上面側が開口した回収容器に収納されて使用されることから、使用時における蛍光灯の廃棄回収具の安定性が確保され、円筒状の蛍光灯が長尺なものであっても、回収容器内に収まるように収納されることとなる。つまり、長さが種々異なる円筒状の蛍光灯（長尺な蛍光ランプ）を一つの回収容器内に整列させるようにして廃棄回収する状態におくことができる。なお、ごみ収集車で搬送するときは、トラック等の荷台に、上記蛍光灯の廃棄回収具が回収容器に収納されたままの状態で搬送すれば良い。
【００１６】
本発明の請求項５記載の蛍光灯の廃棄回収具を有する回収容器は、直方体形状又は立方体形状の枠組みを構成する横辺部分と縦辺部分に各々取り付けられる横枠フレームと縦枠フレームと、これら横枠フレームと縦枠フレームを介して外周側面に張設されるシート又はネットとを備え、上面側が開口した箱状の容器として組み立てられる回収容器に収納されて使用される蛍光灯の廃棄回収具を有する回収容器であって、蛍光灯の廃棄回収具は、円筒状の蛍光灯を通す穴が形成されたシート又はネットにより構成されるとともに、回収容器の内側の側面と連結される連結手段を有することを特徴とする。
【００１７】
この発明によれば、上面側が開口した回収容器に収納された状態の蛍光灯の廃棄回収具は、回収容器の内側の側面と連結される連結手段を有することから、この連結手段を介して、円筒状の蛍光灯を廃棄回収するときだけ連結させ、不使用時は取り外すことができる。そして、蛍光灯の廃棄回収具は、円筒状の蛍光灯を通す穴が形成されたシート又はネットにより構成されることから、円筒状の蛍光灯をシート又はネットの円筒状の蛍光灯を通す穴に通すことにより、多数本の円筒状の蛍光灯を各々倒立状態で廃棄回収する状態におくことができる。
【００１８】
本発明の請求項６記載の蛍光灯の廃棄回収具を有する回収容器は、直方体形状又は立方体形状の枠組みを構成する横辺部分と縦辺部分に各々取り付けられる横枠フレームと縦枠フレームと、これら横枠フレームと縦枠フレームを介して外周側面に張設されるシート又はネットとを備え、上面側が開口した箱状の容器として組み立てられる回収容器に使用される蛍光灯の廃棄回収具を有する回収容器であって、蛍光灯の廃棄回収具は、その直方体形状又は立方体形状の一側面のシート又はネットに円筒状の蛍光灯を通す穴が形成されて、回収容器の内側に張設されていることを特徴とする。すなわち、蛍光灯の廃棄回収具は、一枚もの又は二枚以上の円筒状の蛍光灯を通す穴が形成されたシート又はネットが収納容器の内側に張設されているものである。
【００１９】
この発明によれば、上面側が開口した回収容器に収納された状態の蛍光灯の廃棄回収具は、その直方体形状又は立方体形状の一側面のシート又はネットに円筒状の蛍光灯を通す穴が形成されていることから、円筒状の蛍光灯をシート又はネットの円筒状の蛍光灯を通す穴に通すことにより、多数本の円筒状の蛍光灯を各々倒立状態で廃棄回収する状態におくことができる。
【発明の効果】
【００２０】
本発明の請求項１記載の蛍光灯の廃棄回収具によれば、多数本の円筒状の蛍光灯を各々倒立状態で廃棄回収する状態におくことができ、互いに接触して割れたり、風が吹いたような場合でも、転がったりして割れてしまうことがなく廃棄回収する状態におくことができる。
【００２１】
本発明の請求項４ないし請求項６記載の蛍光灯の廃棄回収具を有する回収容器によれば、上記蛍光灯の廃棄回収具が上面側が開口した回収容器に収納されて使用されることにより、使用時における蛍光灯の廃棄回収具の安定性が確保され、円筒状の蛍光灯が長尺なものであっても、回収容器内に収まるように収納させたり、回収容器の内側の側面と連結手段により連結させたりして、廃棄回収する状態におくことができる。また、昨今の地方自治体等で多く使用されている回収容器、つまり折り畳み可能なシート又はネットのゴミ回収容器等と組み合わせた使用が可能になる。
【発明を実施するための最良の形態】
【００２２】
以下、本発明の一実施の形態について図面を参照して詳細に述べる。
【００２３】
（第１の実施の形態）
本実施の形態は、図１（ａ）に示すように、直方体形状の枠組みを構成する横辺部分と縦辺部分に各々取り付けられる横枠部材３，４と縦枠部材５と、これら横枠部材３，４と縦枠部材５を介して外周側面に張設されるシート又はネット１ａ〜１ｄとを備えた蛍光灯の廃棄回収具１である。シート又はネット１ａ〜１ｄは、四周側面を構成する側面シート１ａ〜１ｄにより構成され、上方側に位置する一側面１ａに、円筒状の蛍光灯を通す穴２Ａが形成されている。横枠部材３，４と縦枠部材５ｄは、各々４本ずつ配され、これらを包むように取り付けられる袋部６が設けられ、これらの袋部６が上記シート又はネット１ａ〜１ｄと同じ材質もので構成されている。シート又はネット１ａ〜１ｄは、熱融着や縫合によって横枠部材と縦枠部材を介して外周側面に張設されている。シート又はネット１ａ〜１ｄは、細かな網目（メッシュ構造）が形成されており（メッシュ構造のものがネットと呼ばれることが多いが、本明細書中では同じものとして使用している。）、その素材としてポリエステル等の合成樹脂製のものであり、弾力性と通気性を有するフレキシブルなシートである。
【００２４】
横枠部材３，４と縦枠部材５は、これらの端部を各々連結させることも可能であるが、本実施の形態では、各々の端部が連結されていないことにより折り畳み可能に構成されている（図２（ａ））。
【００２５】
ここで、円筒状の蛍光灯Ｌ１,Ｌ２を通す穴２Ａは、上方側に位置することとなる一側面のシート又はネット１ｄの網目を大きくしたように構成されている。このような穴２Ａを有した一側面１ａの代わりに、ロープを縦横に配したり、ロープを縦横に配して交差部分を結んだりしたて、網目を形成し、これを上記穴２として使用するものであっても良い。このように網目を上記穴２として使用することにより縦横に順序正しく多くの廃棄された蛍光灯Ｌ１,Ｌ２を配列させることができる。円筒状の蛍光灯Ｌ１,Ｌ２の径の大きさに合わせた大きさのものが好ましいが、その穴２の大きさが上記材質により伸縮するものを使用していることから、必ずしも蛍光灯Ｌ１,Ｌ２の径の大きさに合わせたものである必要はない。また、本実施の形態では、四周側面を構成する側面シート１ａ〜１ｄにより構成されているが、円筒状の蛍光灯Ｌ１,Ｌ２を通す穴２Ａが上方側に位置することとなる一側面１ａの側面シート１ａのみに形成されていても良い。ここで、「上方側に位置することとなる一側面」とは、底面側に位置する側面シート１ｄであっても、これを裏返すようにして、上方側に位置することとなる場合は、上方側に位置することとなり、左右側に位置する側面シート１ｂ,１ｃであっても、上方側に位置させる場合は、これが上方側に位置することとなる意味である。
【００２６】
上記蛍光灯の廃棄回収具１Ａは、図１（ｂ）に示すように、回収容器１１の内部に収用されて使用される。回収容器１１は、本願出願人が既に実用新案登録第第２５３１２３０号として権利化されているものであり、また、既に市場に提供して、近年市町村等で採用されているゴミ回収容器と同じ物である。この回収容器１１は、不使用時には折り畳みが可能で、使用時には、その自立能力により所定の大きさに容易に組み立てられ、風、その他の外力で容易には変形しない折り畳み式のものである。回収容器１１は、直方体形状で構成されており、各辺の形状を保つ横枠フレームｘ３と縦枠フレームｙ５と、これら横枠フレームｘ３と縦枠フレームｙ５に張設され、側面ネット１１ａ〜１１ｄと、底面部の底面ネット１１ｅとを有し、上方側が開口している。なお、縦枠フレームｙ５の上方側には、上記横枠フレームｘ３が配されるが、縦枠フレームｙ５の下方側には、上記横枠フレームｘ３に相当するものは配されおらず、袋部７が設けられているだけである。これは、この回収容器１１を平坦状に折り畳むときに底部側にフレームがあると、縦枠フレームｙ５と交錯して、この折り畳みの邪魔になるからである。
【００２７】
側面ネット１１ａ〜１１ｄの横辺部分と縦辺部分には、それぞれシート又はネット１１ａ〜１１ｄと同質の素材からなる細長いシート材が縫着され、これによって袋部７が形成されている。そして、横枠フレームｘ３と縦枠フレームｙ５は、それぞれ袋部７内に挿入されて側面ネット１１ａ〜１１ｄや底面ネット１１ｅと連結されている。横枠フレームｘ３と縦枠フレームｙ５は、上記袋部７内に入れられるが、横枠フレームｘ３と縦枠フレームｙ５の各々の端部が連結されていないことにより折り畳み可能に構成されている（図２（ｂ））。また、上方側には、透孔により形成した持ち手Ｍ１が設けられ、下方側にはベルト状の持ち手Ｍ２が設けられている。なお、ここでも「ネット」と「シート」は同意義で使用している。
【００２８】
本実施の形態では、蛍光灯の廃棄回収具１Ａは、それ単独でも使用可能であるが、回収容器１１の内部に収用されて使用される。例えば廃棄物集積場所に設置されるときには、図３と図４に示すように、回収容器１１の内部に蛍光灯の廃棄回収具１Ａが収まるようになり、蛍光灯の廃棄回収具１Ａの安定性が確保される。円筒状の蛍光灯Ｌ１,Ｌ２を廃棄するときは、回収容器１１の開口した上面側から蛍光灯の廃棄回収具１Ａの上方側に位置する一側面のシート又はネット１ａの穴２Ａに円筒状の蛍光灯Ｌ１,Ｌ２を突き刺すように通せば良い。長さが異なる円筒状の蛍光灯Ｌ１,Ｌ２を複数本廃棄収納しても、長さの長い方の円筒状の蛍光灯Ｌ２も回収容器１の内部に納まるために、つまり長い方の円筒状の蛍光灯Ｌ２の長さよりも上記縦枠フレームｙ５の長さの方が長いために、長さの異なる円筒状の蛍光灯Ｌ１,Ｌ２を回収容器１の内部に納まるようにして廃棄回収する状態におくことができる。この廃棄回収する状態におかれた蛍光灯Ｌ１,Ｌ２は回収車（トラック）の荷台に回収容器１１ごとに載せるか、回収容器１１から廃棄回収具１Ａを引き抜き、これのみで運搬するかをすれば、蛍光灯Ｌ１,Ｌ２を倒立状態のまま運搬することができる。なお、廃棄が終了した場合は、蛍光灯の廃棄回収具１Ａも回収容器１１も折り畳んでしまい込むことができる。
【００２９】
（第２の実施の形態）
本実施の形態は、図５（ａ）（ｂ）に示すように、上記廃棄回収具１Ａの上方側に位置する一側面１ａに円筒状の蛍光灯を通す穴２Ａが形成されているが、この穴２Ａが円形状に形成されている。この円形状の穴２Ａは、円筒状の蛍光灯Ｌ１,Ｌ２とほぼ同じ大きさである。すべて同じ同じ大きさでも良いが、異なる大きさでも良い。蛍光灯Ｌ１,Ｌ２の径の大きさが異なる場合もあるため、異なる大きさの円筒状の蛍光灯を通す穴２Ａを形成しておくと、径の大きさ異なる蛍光灯Ｌ１,Ｌ２を同時に倒立状態の廃棄する状態におくことができる。なお、本実施の形態も回収容器１１に収納されて使用される点等は第１の実施の形態と同様である。
【００３０】
（第３の実施の形態）
本実施の形態は、図６に示すように、上方側に位置することとなる一側面のシート又はネット１ａと対向する下方側に位置する一側面のシート又はネット１ｄにも、円筒状の蛍光灯を通す穴２Ｂが形成されている蛍光灯の廃棄回収具１Ｃである。本実施の形態では、上面側の穴２Ａと下面側の穴２Ｂとは大きさが異なり、下面側の方２Ｂが大きく形成されているが、逆であっても良く、又、いずれも同じ大きさのものであっても良い。同じ大きさのものが上下の側面シート１ａ,１ｄに上記穴２Ａ,２Ｂが形成されていることにより、上面側と下面側との２箇所で支持されるため、多数本の円筒状の蛍光灯Ｌ１,Ｌ２を各々安定した倒立状態にして廃棄回収する状態におくことができるとともに、多数本の長尺な蛍光灯Ｌ２がその長手方向において互いに接触するような事態を防止することができる。なお、円筒状の蛍光灯Ｌ１,Ｌ２の下端は、収納容器１１の底面ネット１１ｅに弾力的に接触するので、円筒状の蛍光灯Ｌ１,Ｌ２の下端が下方側の円筒状の蛍光灯を通す穴２Ｂから抜けるような事態にはならない。一方、上面側の穴２Ａと下面側の穴２Ｂの大きさを異ならせることにより、一つの蛍光灯の廃棄回収具１Ｃにより、上下の側面シート１ａ,１ｄを上下入れ替えることにより、円筒状の蛍光灯Ｌ１,Ｌ２の径の大きさの異なるものにも対応させるようにしているが、同じ大きさの径でも良い。また、上面側の穴２Ａは、第１の実施の形態のように大きな網目のような穴２Ａとし、上面側の穴２Ｂは、本実施の形態のような円形状の穴２Ｂとして、いずれでも使用可能にすることもできる。
【００３１】
（第４の実施の形態）
本実施の形態は、図７に示すように、蛍光灯の廃棄回収具１Ｄが立方体形状に構成されている点のみが上記各実施の形態とは異なる。立方体形状に構成する利点としては、この折り畳み可能な蛍光灯の廃棄回収具１を折り畳んだときに、４つ折にでき、コンパクトに折り畳むことができる等の利点を有することできる。このように、上記各実施の形態については、直方体であっても立方体形状であっても良い。
【００３２】
（第５の実施の形態）
本実施の形態は、図８（ａ）（ｂ）と図９に示すように、回収容器１１の内側の側面に一方の連結手段１５が取り付けられ、蛍光灯の廃棄回収具１Ｅに他方の連結手段１６が取り付けられている。すなわち、蛍光灯の廃棄回収具１Ｅは、その上方の外周に他方の連結手段１６が面状ファスナーとして設けられ、回収容器１１にも一方の連結手段１５が面状ファスナーとして設けられ、これらにより蛍光灯の廃棄回収具１Ｅが回収容器１１内に着脱自在に連結されている。上記一方の連結手段１５は、回収容器１１の内側の側面に縫合されているが、面状ファスナー等で連結されていても良い。また、上記連結手段１５,１６としては、ボタン等で連結されていても良い。蛍光灯の廃棄回収具１Ｅは、直方体形状又は立方体形状に広げられるもので、上方に位置することとなる一側面のシート又はネット１ａに円筒状の蛍光灯を通す穴２Ａが形成されているが、上下の二側面や四周側面に設けられていても良い。また、蛍光灯の廃棄回収具１Ｅは、上下側の二側面と隣り合う側面が袋状に形成されて、この袋の中にスリット状の部材１７が各々収納されて、直方体形状又は立方体形状に広げられたときにその形状を維持するようになっている。なお、蛍光灯の廃棄回収具１Ｅの左右両側面がシート又はネットがなく開口している。
【００３３】
したがって、回収容器１１の一方の連結手段１５と蛍光灯の廃棄回収具１Ｅの他方の連結手段１６とを連結させると、蛍光灯の廃棄回収具１Ｅが直方体形状又は立方体形状に広げられた状態で上記回収容器１１に安定した状態で収納され、円筒状の蛍光灯を通す穴２Ａに多数本の円筒状の蛍光灯Ｌ１,Ｌ２を通して倒立状態にすることができる。なお、廃棄回収が終了したときは、一方の連結手段１５と他方の連結手段１６との連結状態を解除すると、各々折り畳んで所定箇所に保管することができる。
【００３４】
ここで、蛍光灯の廃棄回収具１Ａ〜１Ｆとしては、上記回収容器１１に配されるものであれば、例えば、円筒状の蛍光灯を通す穴２Ａが形成されているシート又はネットが回収容器１１の内壁に張設されているものでも良い。すなわち、一枚のシート又はネットが回収容器１１の内部に張設され、そこにＬ１,Ｌ２を通して倒立状態にすることができる穴が形成されているものでも良い。
【図面の簡単な説明】
【００３５】
【図１】本発明の第１の実施の形態の蛍光灯の廃棄回収具と回収容器を示す斜視図である。
【図２】上記第１の実施の形態の蛍光灯の廃棄回収具と回収容器を折り畳んだ状態を示す斜視図である。
【図３】上記第１の実施の形態の蛍光灯の廃棄回収具を回収容器に収納した状態を示す斜視図である。
【図４】上記第１の実施の形態の蛍光灯の廃棄回収具の使用例を示す斜視図である。
【図５】本発明の第２の実施の形態の蛍光灯の廃棄回収具と回収容器を示す斜視図である。
【図６】本発明の第３の実施の形態の蛍光灯の廃棄回収具を示す斜視図である。
【図７】本発明の第４の実施の形態の蛍光灯の廃棄回収具を示す斜視図である。
【図８】本発明の第５の実施の形態の蛍光灯の廃棄回収具と回収容器を示す斜視図である。
【図９】上記第５の実施の形態の蛍光灯の廃棄回収具と回収容器の連結状態を示す拡大斜視図である。
【符号の説明】
【００３６】
１Ａ,１Ｃ,１Ｄ,１Ｅ          廃棄回収具、
１ａ〜１ｃ  側面シート、
１ａ        上方側に位置することとなる一側面、
１ｄ        底面部、
２Ａ，２Ｂ  円筒状の蛍光灯を通す穴、
３，４      横枠部材、
５          縦枠部材、
７          袋部、
ｘ３        横枠フレーム、
ｙ５        縦枠フレーム、
７          袋部、
１１        回収容器、
１１ａ，１１ｂ，１１ｃ，１１ｄ  側面ネット、
１１ｅ      底面ネット、
１５,１６   連結手段、
Ｌ１,Ｌ２   円筒状の蛍光灯、Ｌ２  長さの長い方の円筒状の蛍光灯、
Ｍ１,Ｍ２   持ち手、
【図１】
2005263302.tif 000003
【図２】
2005263302.tif 000004
【図３】
2005263302.tif 000005
【図４】
2005263302.tif 000006
【図５】
2005263302.tif 000007
【図６】
2005263302.tif 000008
【図７】
2005263302.tif 000009
【図８】
2005263302.tif 000010
【図９】
2005263302.tif 000011